(57)【要約】【課題】マルチメディア・プレゼンテーションの作成および表示にかかわる人の利益について、開発の収束をもたらすこと。【解決手段】それを介して実行可能データ・ファイルを配布して所望のプレゼンテーションを生じることができる装置のハウジングへの、計算能力およびアクセス可能データ・ポートの組込みによって、ノートブック・システムまたはラップトップ・システムなどのサポートするコンピュータ・システムを有するか、提供するか、運ぶ必要からプレゼンタを解放する、マルチメディア・プレゼンテーションの装置および方法。
2006507535.tif 000002
【特許請求の範囲】
【請求項１】
ハウジングを有する空間光変調プレゼンテーション・デバイスと、
前記ハウジング内に取り付けられ、投射されるプレゼンテーションの特性を制御する信号を配布するために電気的に結合されたプロセッサと、
前記ハウジングに取り付けられ、前記プロセッサに電気的に結合されたデータ・ポートであって、前記データ・ポートは、前記ハウジングの外からアクセス可能であり、手動で挿入可能な要素を受け、前記手動で挿入可能な要素を介して、実行可能データ・ファイルが、前記信号の生成を可能にするために前記プロセッサにアクセス可能である、データ・ポートと
を含む装置。
【請求項２】
ハウジング、前記ハウジング内の電気的に駆動されるマイクロミラー・デバイス、前記マイクロミラー・デバイスに光を入射させるためにこれに光学的に結合された光源、反射光を前記ハウジングの外に向けるために前記マイクロミラー・デバイスに結合された光学系、および前記マイクロミラー・デバイスの移動を駆動し、そこから投射されるプレゼンテーションの特性を制御するために前記マイクロミラー・デバイスに電気的に結合された前記ハウジング内の回路を有する空間光変調プレゼンテーション・デバイスと、
前記投射されるプレゼンテーションの前記特性を制御する信号をそれに配布するために前記回路に電気的に結合された、前記ハウジング内のプロセッサと、
前記ハウジングに取り付けられ、前記プロセッサに電気的に結合されたデータ・ポートであって、前記データ・ポートは、前記ハウジングの外部からアクセス可能であり、手動で挿入可能な要素を受け、前記手動で挿入可能な要素を介して、実行可能データ・ファイルが、前記信号の生成を可能にするために前記プロセッサに渡される、データ・ポートと
を含む装置。
【請求項３】
前記データ・ポートが、フラッシュ・メモリ要素を受ける、請求項１および２のいずれか一項に記載の装置。
【請求項４】
前記データ・ポートが、ＵＳＢポートである、請求項１および２のいずれか一項に記載の装置。
【請求項５】
前記データ・ポートが、コンパクト・フラッシュ・ポートである、請求項１および２のいずれか一項に記載の装置。
【請求項６】
前記データ・ポートが、メモリ・スティック・ポートである、請求項１および２のいずれか一項に記載の装置。
【請求項７】
ハウジングを有する空間光変調プレゼンテーション・デバイスと、
前記ハウジング内に取り付けられ、投射されるプレゼンテーションの特性を制御する信号を配布するために電気的に結合されたプロセッサと、
前記ハウジングに取り付けられ、前記プロセッサに電気的に結合されたデータ・ポートであって、前記データ・ポートは、前記ハウジングの外からアクセス可能であり、手動で挿入可能な要素を受け、前記手動で挿入可能な要素を介して、実行可能データ・ファイルが、前記信号の生成を可能にするために前記プロセッサからアクセス可能である、データ・ポートと、
前記ポート内に配置されたデータ・リンク要素と
を含む装置。
【請求項８】
ハウジング、前記ハウジング内の電気的に駆動されるマイクロミラー・デバイス、前記マイクロミラー・デバイスに光を入射させるためにこれに光学的に結合された光源、反射光を前記ハウジングの外に向けるために前記マイクロミラー・デバイスに結合された光学系、および前記マイクロミラー・デバイスの移動を駆動し、そこから投射されるプレゼンテーションの特性を制御するために前記マイクロミラー・デバイスに電気的に結合された前記ハウジング内の回路を有する空間光変調プレゼンテーション・デバイスと、
前記投射されるプレゼンテーションの前記特性を制御する信号をそれに配布するために前記回路に電気的に結合された、前記ハウジング内のプロセッサと、
前記ハウジングに取り付けられ、前記プロセッサに電気的に結合されたデータ・ポートであって、前記データ・ポートは、前記ハウジングの外部からアクセス可能であり、手動で挿入可能な要素を受け、前記手動で挿入可能な要素を介して、実行可能データ・ファイルが、前記信号の生成を可能にするために前記プロセッサに渡される、データ・ポートと、
前記ポート内に配置されたデータ・リンク要素と
を含む装置。
【請求項９】
前記データ・リンク要素が、フラッシュ・メモリ要素である、請求項７および８のいずれか一項に記載の装置。
【請求項１０】
前記データ・リンク要素が、ＵＳＢデバイスである、請求項７および８のいずれか一項に記載の装置。
【請求項１１】
前記データ・リンク要素が、ＵＳＢフラッシュ・メモリ・デバイスである、請求項１０に記載の装置。
【請求項１２】
前記データ・リンク要素が、ＵＳＢ接続可能光ドライブである、請求項１０に記載の装置。
【請求項１３】
前記データ・リンク要素が、ＵＳＢ接続可能ネットワーク・インターフェースである、請求項１０に記載の装置。
【請求項１４】
前記データ・ポートが、コンパクト・フラッシュ・ポートであり、前記データ・リンク要素が、コンパクト・フラッシュ・カードである、請求項７および８のいずれか一項に記載の装置。
【請求項１５】
前記データ・ポートが、メモリ・スティック・ポートであり、前記データ・リンク要素が、メモリ・スティックである、請求項７および８のいずれか一項に記載の装置。
【請求項１６】
空間光変調プレゼンテーション・デバイスに、前記デバイスのデータ・ポートに受けられた手動で取外し可能なデータ・リンク要素からデータ・ファイルを供給するステップと、
前記デバイス内で前記データ・ファイルを処理し、前記デバイスから表示されるプレゼンテーションを制御する信号を生成するステップと
を含む方法。
【発明の詳細な説明】
【背景技術】
【０００１】
これまで、多くのプレゼンテーションが、オーバーヘッド・プロジェクタと一般に称する光学プロジェクタによって行われてきた。これは光学的な仕組みに頼り、スクリーンや他の類似の表面に透し絵乃至スライド（transparencies）を投射するものであった。最近は、マイクロミラー半導体デバイスに頼る光学プロジェクタが、いつでもどこでも使われるようになってきた。外交販売員その他の職種に従事する人は、現在、一般に、空間光変調プロジェクタとも称するそのようなプロジェクタと、ノートブック・コンピュータまたはラップトップ・コンピュータとを持って移動する。このノートブック・コンピュータまたはラップトップ・コンピュータに、プレゼンテーションを表す実行可能データ・ファイルと、そのデータ・ファイルを実行でき、プレゼンテーションの表示を制御する信号をプロジェクタに供給できるアプリケーション・プログラムとが保管される。
【０００２】
情報技術での並行して行われてきた開発には、Lotus FreelanceGraphics（Lotus FreelanceはIBM Corporationの商標）およびMicrosoft PowerPoint（MicrosoftはMicrosoftCorporationの商標）など、本明細書に記載したタイプのプレゼンテーションを作成するのに必要なアプリケーション・プログラムを実行できる、より強力なマイクロプロセッサの開発が含まれてきた。そのような能力を有するプロセッサは、テレビジョン受像機と共に使用されるゲーム機など、本質的に消費者デバイスになったものに簡単に組み込めるレベルの、物理的サイズ、計算能力、および電力使用を有する。
【０００３】
そのような開発には、ディジタル・カメラの急増と、そのようなカメラの消費者による使用を促すことを企図したメモリ・モジュールの開発も含まれる。そのようなメモリ・モジュールの開発には、独自のSony社の「メモリ・スティック」、よりオープンな標準規格のコンパクト・フラッシュ・カード、およびＵＳＢ（UniversalSerial Bus）ポートによる接続を意図されたデバイスを含む、フラッシュ・メモリ・デバイスのさまざまな実施形態が含まれる。そのようなデバイスの共通の特性は、比較的小さく、ユーザによって簡単に操作可能であり、消費者デバイスに設けられた適当なポートへの挿入によってそのデバイスに結合されることである。
【発明の開示】
【発明が解決しようとする課題】
【０００４】
前述を念頭において、本発明の目的は、マルチメディア・プレゼンテーションの作成および表示にかかわる人の利益について、上で説明した開発の収束をもたらすことである。
【課題を解決するための手段】
【０００５】
この目的を追求して、本発明は、上で述べたノートブック・システムまたはラップトップ・システムなどのサポートするコンピュータ・システムを有するか、提供するか、運ぶ必要からプレゼンタを解放する、マルチメディア・プレゼンテーションの装置および方法を提供する。本発明は、それを介して実行可能データ・ファイルを配布して所望のプレゼンテーションの生成を引き起こすことができる装置のハウジングへの、計算能力およびアクセス可能データ・ポートの適切な組込みによって、所期の目的を達成する。
【０００６】
本発明の目的の一部を述べたが、他の目的は、添付図面と共に解釈される時に、この説明の進行に伴って明らかになる。
【発明を実施するための最良の形態】
【０００７】
本発明を、本発明の好ましい実施形態を示す添付図面を参照してこの後で完全に説明するが、説明の初めに、当業者が、本発明の好ましい結果を達成しながら、本明細書に記載の発明を変更できることを理解されたい。したがって、次の説明は、本発明に対する制限ではなく、当業者に向けられた広義の教示的開示として理解されたい。
【０００８】
図１を参照すると、現在の趣旨に関してマルチメディア・プレゼンテーション装置１０と称する装置を示す、分解透視図が示されている。そのような装置は、ハウジング１１を有し、このハウジング１１内に、空間光変調器と称するタイプのマイクロミラー半導体デバイス１２が置かれる。そのようなデバイスは、既知であり、Texas Instruments社から入手可能であり、同社の保持する特許に図示され、記載されている。装置１０は、光源１４も有し、この光源１４から、光が変調器１２に光学的に結合されて、光が変調器に入射する。全体的に１５で示された光学系が、変調器１２から反射された光を装置１０の外に向けて、大きいスクリーン（図示せず）などの適当な表面でのプレゼンテーションを表示させる。光の経路は、図１では矢印によって示されている。１６で示された回路が、変調器のミラー要素の移動を制御して、生成されるディスプレイの特性を制御する。
【０００９】
本発明によれば、装置１０は、ハウジング１１内にプロセッサ１８も有する。このプロセッサは、プレゼンテーション・ディスプレイを生じさせるために回路１６にディジタル・データを供給するアプリケーション・プログラムおよびデータ・ファイルを実行できるものとして上で述べたタイプのプロセッサである。適当なプロセッサを、とりわけIBM社、Intel社、およびAMD社が提供するプロセッサ製品の中から見つけることができる。プロセッサ１８は、内部メモリ１９に結合されることが好ましく、この内部メモリ１９に、プロセッサからアクセス可能にディジタル・ファイルを保管することができる。そのようなディジタル・ファイルは、たとえば、提供されるメモリ・ストレージ容量および／またはプロセッサの処理能力あるいはこの両方に応じて、フル「リーダー」または縮小された「リーダー」のいずれかである、上で述べた種類のプレゼンテーション・アプリケーション・プログラムとすることができる。
【００１０】
ハウジング１１に取り付けられ、プロセッサ１８に電気的に結合されているのが、データ・ポート２０である。データ・ポート２０は、ハウジング１１の外からアクセス可能であり、手動で挿入可能なメモリ要素を受けることができ、このメモリ要素から、ポート２０は、実行可能データ・ファイルをプロセッサ１８に渡して、変調器１２を制御する信号の生成を可能にする。信号経路は、図１では破線によって示されている。ポートは、ＵＳＢポートとすることができ、あるいは、メモリ・スティックまたはコンパクト・フラッシュ・カードなどの他の形のデバイスに適合されたポートとすることができる。ポートがＵＳＢポートである場合に、メモリ・デバイスを、手動で簡単に保持され操作されるサイズにされたフラッシュ・メモリ・デバイス、ＣＤ、ＤＶＤ、またはハード・ドライブ・デバイスなどの光学的または磁気的な回転媒体デバイスに接続されるケーブル、あるいはそれを介してデータ・ファイルを配送できるイーサネット（Ｒ）ＬＡＮなどのネットワークに接続されるケーブルとすることができるという点で、追加の機能性を達成可能にすることができる。さらに、そのような追加の機能性に、実行されるプレゼンテーション・アプリケーション・プログラムに適当な場合に、カーソルまたは類似物のオンスクリーン操作を可能にするマウスなどのポインティング・デバイス、あるいはプレゼンテーション中にプレゼンタがオーバーレイ・マーク、チャート、または類似物を作ることを可能にする、スケッチ・パッドまたはタッチ・スクリーンなどのオーバーレイ信号を生成するデバイスの接続を含めることができる。
【００１１】
図２に移ると、本発明の使用で実施される方法が、簡単に示されている。１つの例示的な方法に、１００に示されたプレゼンテーション・データ・ファイルを作成するステップ、１０１の、フラッシュ・メモリ・デバイスの形のデータ・リンク要素にファイルを保管するステップ、その後、１０２の、プレゼンテーション装置のデータ・ポートにメモリ・デバイスを挿入するステップ、１０３の、手動で取外し可能なデータ・リンク要素からデータ・ファイルを供給するステップ、１０４の、装置内でデータ・ファイルを処理するステップ、および１０５の、プレゼンテーションを制御する信号を生成するステップが含まれる。
【００１２】
図面および明細書で、本発明の好ましい実施形態を示し、特定の用語を使用したが、与えられた説明は、制限のためではなく、包括的で説明的な意味でのみ用語を使用した。
【図面の簡単な説明】
【００１３】
【図１】本発明による装置を示す分解透視図である。
【図２】方法発明の実践に使用されるステップを示す、単純化された流れ図である。
【図１】
2006507535.tif 000003
【図２】
2006507535.tif 000004
【国際調査報告】
2006507535.tif 000005